(57)【要約】メッセージの送信を容易にし、かつ、メッセージの送信に要する時間を減らす携帯デバイスを提供するため、１個またはそれ以上のメッセージ属性および/またはメッセージ内容を有するメッセージを作成するメッセージ作成ユニット（ＭＣＵ）を備える携帯デバイスを提案する。受取人データベース（ＲＤＢ）は、アドレスを表す少なくとも１個の受取人識別情報を蓄積する。分析ユニット（ＡＵ）は、メッセージ属性および/またはメッセージ内容を分析し、分析したメッセージ属性および/またはメッセージ内容に基づいて、少なくとも１個の受取人識別情報の受取人リストを生成する。
2009521182.tif 000002
【特許請求の範囲】
【請求項１】
携帯デバイス（ＭＤ）において、
１個またはそれ以上のメッセージ属性を有するメッセージおよびメッセージ内容を作成するためのメッセージ作成ユニット（ＭＣＵ）と、
名宛人を表す、少なくとも１個の受取人識別情報を蓄積する受取人データベース（ＲＤＢ）と、
前記メッセージ属性および/または前記メッセージ内容を分析し、分析した前記メッセージ属性および/または前記メッセージ内容に基づく、少なくとも１個の受取人識別情報の受取人リストを生成する分析ユニット（ＡＵ）と
を備える、ことを特徴とする携帯デバイス。
【請求項２】
請求項１に記載の携帯デバイスにおいて、前記受取人データベース（ＲＤＢ）は、少なくとも１個の受取人識別情報を蓄積する識別情報データベース（ＩＤ−ＤＢ）、および少なくとも１個の受取人識別情報に関する名宛人情報を蓄積するための名宛人情報データベース（ＡＩ−ＤＢ）を有するものとした携帯デバイス。
【請求項３】
請求項１または２に記載の携帯デバイスにおいて、さらに
前記受取人リストを表示するためのディスプレイユニット（ＤＵ）
を備え、
前記分析ユニット（ＡＵ）は、さらに、
メッセージ属性および/またはメッセージ内容に基づく、少なくとも１個の分析パラメータ、ならびに、前記少なくとも１個の分析パラメータと前記受取人データベース（ＲＤＢ）に蓄積した前記少なくとも１個の受取人識別情報との間における少なくとも１個の関係を蓄積する分析データベース（Ａ−ＤＢ）と、
前記メッセージから分析パラメータを抽出する抽出ユニット（ＥＵ）と、
前記ディスプレイユニット（ＤＵ）に表示すべき少なくとも１個の受取人識別情報の前記受取人リストを生成するリスト生成ユニット（ＬＵ）と、
前記受取人リストから少なくとも１個の受取人識別情報の選択を可能とする選択ユニット（ＳＵ）と
を有するものとした
携帯デバイス。
【請求項４】
請求項３に記載の携帯デバイスにおいて、さらに
選択した受取人識別情報に前記メッセージを送信するメッセージ送信ユニット（ＭＳＵ）を備え、
前記抽出ユニット（ＥＵ）は、少なくとも１個の送信済みメッセージから分析パラメータを抽出し、前記分析データベース（Ａ−ＤＢ）は、分析パラメータ、およびこれら分析パラメータと前記少なくとも１個の送信済みメッセージにおける前記受取人識別情報との間の関係を蓄積するものとした
携帯デバイス。
【請求項５】
請求項１に記載の携帯デバイスにおいて、前記メッセージは、ＳＭＳ、ＭＭＳ、電子メール、またはファックスのうち少なくとも一つのタイプとした携帯デバイス。
【請求項６】
請求項２に記載の携帯デバイスにおいて、前記受取人識別情報は、電子メールアドレス、電話番号、携帯電話の番号、ファックスの番号、郵便アドレスのうち少なくとも一つとした携帯デバイス。
【請求項７】
請求項１〜６のうちいずれか一項に記載の携帯デバイスにおいて、前記名宛人の情報は、名前、誕生日、宗教、キーワード、ショートカット、住所のうち、少なくとも一つを有するものとした携帯デバイス。
【請求項８】
携帯デバイスからメッセージを送信する方法において、
メッセージ内容および/または１個以上のメッセージ属性を有するメッセージを作成するステップと、
前記メッセージ属性および/または前記メッセージ内容を分析するステップと、
分析した前記メッセージ属性および/または前記メッセージ内容に基づいて、受取人データベース（ＲＤＢ）から、名宛人を表す、少なくとも１個の受取人識別情報の受取人リストを生成するステップと
を有することを特徴とする方法。
【請求項９】
コンピュータプログラムにおいて、携帯デバイスに、請求項８に記載の方法におけるステップを実行させるコンピュータプログラムコード手段を備えるコンピュータプログラムであって、携帯デバイス上で動作することを特徴とする該コンピュータプログラム。
【発明の詳細な説明】
【技術分野】
【０００１】
本発明は、携帯デバイスおよび携帯デバイスからメッセージを送信する方法、ならびに、前記データ処理方法を実行するコンピュータプログラムに関する。
【背景技術】
【０００２】
携帯電話、ＰＤＡ、およびノート型パソコン等の携帯デバイスの使用は、今日ではごく一般的となっている。そのような携帯デバイスの共通する用途は、ＳＭＳ、ＭＭＳ、ファックス、および電子メールのような、メッセージの作成および送信である。利用者は、通常、メッセージの種類、例えばＭＭＳを選択し、内容、例えば文章および写真を作成し、内部アドレス帳からメッセージの受取人を選び、メッセージを受取人に送信する。過去には、そのようなメッセージの送信を容易にし、障害および欠点を克服する試みがなされてきた。
【０００３】
特許文献１（米国特許出願公開第２００３／０，２３３，４２０号）には、受信メッセージの内容ベースのルーティングに対する方法およびシステムについて記載されている。メッセージは、メッセージ内容が意味するものを伝達する一組の自己記述的属性セットを含んでいるので、処理エンジンはこれらの属性を使用して、メッセージを操作および処理し、メッセージを任意の電子デバイスまたはメッセージングアカウントに経路指定（ルーティング）する、様々な通信デバイスに対する自動フォーマット化する、メッセージを受信箱内に自動自己系統化する等、といった高度な機能を可能にする。これは、個人の既存の電子メールボックス、携帯電話、ポケットベル、ファックス装置、電話、他のデバイスを統合することで、入力メッセージを系統化する時間を短縮する上で有用である。しかし、これによりメッセージの送信が容易になるわけではない。
【０００４】
特許文献２（米国特許出願公開第２００５／０，１９８，３５１号）には、ルーティングノードのようなオーバレイノードを含む、オーバレイネットワークにおける受信メッセージの内容ベースのルーティングに対する実施について記載されている。この場合、ルーティングノードがメッセージを受け取り、ルーティングポリシーを、少なくともメッセージの内容の一部に基づいて、送信ノードへ戻している。ルーティングポリシーに含まれる指示に従い、送信ノードはメッセージ内のアドレスを修正することができるので、例えば目的とする宛先に直接、メッセージを送信する。このようにして、一つ以上の仲介ノードを回避でき、オーバレイネットワーク内の呼出し時間を短縮することができる。しかし、これもまた、メッセージの送信を容易にするわけではない。
【特許文献１】米国特許出願公開第２００３／０，２３３，４２０号明細書
【特許文献２】米国特許出願公開第２００５／０，１９８，３５１号明細書
【発明の開示】
【発明が解決しようとする課題】
【０００５】
本発明の目的はこのように、携帯デバイス（モバイル機器）からメッセージを送信することを容易にし、かつ、メッセージを送信するのに要する時間を短縮する携帯デバイス（モバイル機器）を提供することにある。
【課題を解決するための手段】
【０００６】
この目的は、請求項１に記載の本発明による携帯デバイス、請求項８に記載の本発明による携帯デバイスからメッセージを送信する方法、請求項９に記載の本発明によるコンピュータプログラムによって達成される。
【０００７】
本発明によれば、携帯デバイスを提供する。メッセージ作成ユニットは、１個またはそれ以上のメッセージ属性およびメッセージ内容を有するメッセージを作成する。受取人データベースは、名宛人を表す、少なくとも１個の受取人識別情報を蓄積する。分析ユニットは、メッセージ属性および/またはメッセージ内容を分析し、分析したメッセージ属性および/またはメッセージ内容に基づく、少なくとも１個の受取人識別情報の受取人リストを生成する。
【０００８】
したがって、作成したメッセージをメッセージの内容および/または属性に基づいて送られる可能性の高い名宛人のリストを生成する、携帯電話、ＰＤＡ、ノート型パソコン等の携帯デバイスを提供する。使用者は一つの名宛人をリストから選択することができる。それにより、メッセージ通信を改善し、メッセージを送信するのに要する時間を短縮する。
【発明を実施するための最良の形態】
【０００９】
本発明の一様態によると、受取人データベースは、少なくとも１個の受取人識別情報を蓄積する識別情報データベース、および少なくとも１個の受取人識別情報に関する名宛人情報を蓄積するための名宛人情報データベースを有するものとする。
【００１０】
本発明の他の様態によると、携帯デバイスは、受取人リストを表示するためのディスプレイを備えるものとする。さらに、分析ユニットは、分析データベースと、抽出ユニットと、リスト生成ユニットと、選択ユニットとを有する。分析データベースは、メッセージ属性および/またはメッセージ内容に基づく少なくとも１個の分析パラメータ、ならびに、少なくとも１個の分析パラメータと受取人データベースに蓄積した少なくとも１個の受取人識別情報との間における少なくとも１個の関係を蓄積する。抽出ユニットは、メッセージから分析パラメータを抽出する。リスト生成ユニットは、ディスプレイユニットに表示すべき少なくとも１個の受取人識別情報の受取人リストを生成する。選択ユニットは、受取人リストから少なくとも１個の受取人識別情報の選択を可能にする。これにより、携帯デバイスは、使用者によるメッセージの受取人選択を支援する。
【００１１】
本発明のさらなる様態によれば、携帯デバイスは、選択した受取人識別情報にメッセージを送信するメッセージ送信ユニットを備えている。さらに好適には、抽出ユニットは、少なくとも１個の送信済みメッセージから分析パラメータを抽出し、分析データベースは、分析パラメータ、およびこれら分析パラメータと少なくとも１個の送信済みメッセージにおける受取人識別情報との間の関係を蓄積するものとする。
【００１２】
本発明の一様態によれば、メッセージは、ＳＭＳ、ＭＭＳ、電子メール、ファックスのうち少なくとも一つのタイプとし、前記受取人識別情報は、電子メールアドレス、電話番号、携帯電話の番号、ファックスの番号、郵便のアドレスのうち、少なくとも一つとし、名宛人の情報は、名前、誕生日と、宗教、キーワード、ショートカット、住所のうち、少なくとも一つとする。このキーワードまたはショートカット名、誕生日、宗教、キーワード、ショートカット、住所を使用して、受取人を検索することができる。
【００１３】
本発明は、さらに、携帯デバイスからメッセージを送信するための方法に関するものである。１個以上のメッセージ属性および/またはメッセージ内容を有するメッセージが作成する。メッセージ属性および/またはメッセージ内容を分析する。そして、受取人データベースから、名宛人を表す、少なくとも１個の受取人識別情報の受取人リストを、分析したメッセージ属性および/またはメッセージ内容に基づいて生成する。
【００１４】
携帯デバイスがメッセージテキストを分析し、また携帯デバイスがメッセージの受取人または名宛人を推測する。すなわち、最も可能性の高い名宛人を、メッセージにおける実際のテキストおよび/または属性に基づいて決定する。使用者がメッセージ、例えばＳＭＳ（ショート・メッセージ・サービス）、を携帯端末、例えば携帯電話上でタイプ入力すると、携帯デバイスはメッセージの分析、および受取人を推測する（書き込み中、またはその後に）。携帯デバイスは、例えば、名前を検出し、大文字で始まる語句（トークン）、「Dear」または「Hello」の後に続く語句、先頭文字等を分析する。ここで、２または３（またはそれ以上）の可能性の高い受取人に関するリストを作成し、これらを電話の電話帳リストと比較することができる。それらのうち一つが一致した場合、その番号を表示しなくてはならない。また、いくつかが一致した場合、スクロール可能なリストを表示する。一致するものが無かった場合、最後にメッセージを送った受取人、または最も頻繁にメッセージを送信する受取人を表示する。いずれにせよ、使用者が番号を入力した場合には、全ての提案を消去する。この全ての機能は、オンまたはオフの切り替えにより選択可能とすべきである。
【００１５】
本発明のさらなる様態は、従属特許請求の範囲に明示されている。
【００１６】
本発明の実施例および効果は、以下の図面においてさらに詳細に記載する。
【実施例】
【００１７】
図１は、本発明の第１実施例による携帯デバイスＭＤを示している。この携帯デバイスＭＤは、少なくともメッセージ作成ユニットＭＣＵと、前記受信者データベースＲＤＢと、メッセージ送信ユニットＭＳＵと、分析ユニットＡＵと、ディスプレイユニットＤＵとを有する。
【００１８】
メッセージ作成ユニットＭＣＵは、メッセージの作成に供する。メッセージ作成装置ＭＣＵは、さらに、最初にメッセージの種類を選択するメッセージ種類選択ユニットＫＭＳＵを有する。メッセージはすべての種類のデータがあり、携帯デバイスから、例えばＳＭＳ（ショート・メッセージ・サービス）、ＭＭＳ（マルチメディア・メッセージング・サービス）、電子メール、ファックス等、を送信することができる。また、メッセージは、メッセージ属性およびメッセージ内容を有する。メッセージ属性としては、例えば、メッセージの種類（ＳＭＳ、ＭＭＳ、電子メール、ファックス等）、メッセージを生成した、または送られた時間（例えば、早朝、夜、昼食時）、曜日（例えば、月曜日、平日または週末）、日付（例えば、誕生日、休日）と、メッセージの長さおよびサイズ（記号の数または許容値内のサイズ、単独メッセージ、連結メッセージ）と、文字セット（ラテン文字、キリル文字、ギリシャ文字、等）と、フォント（色、大きさ、タイプ、等）と、有効性（一時間、一日、等）と、頻度等がある。
【００１９】
メッセージ内容としては、例えば、自己記述的キーワード（例えば、名前、異名、ニックネーム、例えば、hdl，vlg，:- などの略記）、ショートカット（例えば、Thomasに対するT）、接頭または末尾に付けるキーワード（例えば、あいさつ、結語、題名、住所）、添付（例えば、写真）、他の指標（例えば、小文字および大文字、先頭文字）がある。
【００２０】
受取人データベースＲＤＢにおいて、名宛人の少なくとも１個の受取人識別情報（受取人ＩＤ）を、例えば電話番号の形式で、必須情報として蓄積する。受取人データベースＲＤＢは、ＩＤデータベースＩＤ−ＤＢおよび名宛人情報データベースＡＩ−ＤＢを有することができる。一方において、名宛人は１個以上の受取人ＩＤ、例えば一つ以上の私的および仕事用の電子メールアドレス、電話番号、携帯電話の番号、ファックスの番号、郵便の宛先等、を有することがあり得る。それらの受取人ＩＤをＩＤデータベースＩＤ−ＤＢに蓄積することができる。他方において、名宛人は、名前、誕生日、宗教、母国／住所等といった名宛人情報を有しており、母国／住所は、例えば国家または宗教上の休日を識別するのに使用することができる。名宛人情報は、随意情報として名宛人情報データベースＡＩ−ＤＢ蓄積する。ＩＤデータベースＩＤ−ＤＢおよび名宛人情報データベースＡＩ−ＤＢは、名宛人情報および名宛人の１個以上の受取人ＩＤを相互にリンクするよう結合する。
【００２１】
メッセージ送信ユニットＭＳＵは、受取人データベースＲＤＢから供給される、名宛人を表す受取人ＩＤへのメッセージの送信を可能にする。
【００２２】
分析ユニットＡＵは、メッセージ、とくにメッセージ属性及びメッセージ内容を分析する。分析ユニットＡＵは、分析データベースＡ−ＤＢ、抽出ユニットＥＵ、リスト生成ユニットＬＵ、選択ユニットＳＵを備えることができる。分析データベースＡ−ＤＢは、メッセージ属性およびメッセージ内容の形式における１個以上の分析パラメータ、および分析パラメータと名宛人との間における１個以上の関係性を提供する。さらに、分析データベースＡ−ＤＢは、送信されたメッセージの分析パラメータおよび関係性を蓄積する。それにより、一種の履歴が取得され、この履歴を後の分析に用いることができる。すなわち、分析ユニットが学習する。
【００２３】
抽出ユニットＥＵは、メッセージ作成装置ＭＣＵにおいて提供されたメッセージから分析パラメータを抽出する。リスト生成ユニットＬＵは、分析データベースＡ−ＤＢに蓄積された関係性と組み合せて、抽出ユニットＥＵで抽出した分析パラメータに基づいて１人以上の名宛人リストを、例えば受取人ＩＤの形式で、生成する。選択ユニットＳＵは、リスト生成ユニットＬＵで提供されたリストの中から、１人以上の名宛人の選択を、例えば受取人ＩＤの形式で、行うことができ、これをメッセージ送信ユニットＭＳＵに転送する。ディスプレイユニットＤＵは、少なくとも１個の生成した受取人リストを表示することができる。
【００２４】
また、受取人データベースおよび分析データベースは、共通のメモリ、例えばメモリカード、に蓄積することができ、かつ交換可能とする。
【００２５】
図２は、図１による携帯デバイスの動作を示す。ステップＳ１０において、ＳＭＳメッセージＳＭＳ ｍｓｇを選択し、そのテキストは「Hello Tom」から始まるものとする。従って、ステップＳ２０において、名宛人情報データベースＡＩ−ＤＢにおける第１データセットＤＳ１は、メッセージ属性「ＳＭＳ」と、メッセージ内容「Hello Tom」と、受取人ＩＤ「携帯電話番号」と関連付けて名宛人情報データベースＡＩ−ＤＢにおける「Thomas」に対する関係性と、を含むとする。ステップＳ３０において、第１データセットＤＳ１に基づき、 「Thomas」に対する関係性がデータセットＤＳ１に蓄積されているため、このメッセージをThomasの携帯電話番号に送信される。他のデータセットＤＳ２〜ＤＳｎは、テキストに対する適切な関係性を含んでおらず、考慮されない。
【００２６】
図３は、本発明の第１実施例によるデータ処理方法のフローチャートを示す。第１ステップ（Ｓ１０２）において、使用者は、メッセージの種類、例えばＭＭＳを、メッセージ作成ユニットＭＣＵにおけるメッセージ種類選択ユニットＫＭＳＵにより、選択する。次のステップ（Ｓ１０４）において、使用者はメッセージを作成する、例えば使用者はＭＭＳで送信すべき写真を選択するおよび/またはテキストの書き込みを行う。さらなるステップ（Ｓ１０６）において、メッセージを分析ユニットＡＵにより分析し、この分析ユニットＡＵは、抽出ユニットＥＵによるメッセージからの分析パラメータ抽出を含む、すなわち、抽出ユニットＥＵは、メッセージ属性およびメッセージ内容が存在する場合、どれが分析データベースＡ−ＤＢに蓄積された一つ以上の分析パラメータに一致するのかを決定する。例えば、写真およびこれに付随するテキストを有するＭＭＳを作成する場合、抽出ユニットは、例えば写真の名前およびテキスト中の語句を決定する。次のステップ（Ｓ１０８）において、リスト生成ユニットＬＵは名宛人リストを提供する。一致するものが存在した場合、リスト生成ユニットＬＵは、分析データベースＡ−ＤＢに蓄積された分析パラメータと名宛人との間における関係性に基づき、１人またはそれ以上の名宛人に関する受取人リストを生成する。一致するものが存在しない場合、リスト生成ユニットＬＵは、最も頻繁に宛てたおよび/または最後に宛てた１人またはそれ以上の名宛人に関する受取人リストを生成する。この受取人リストをディスプレイユニットＤＵに表示する。
【００２７】
次のステップ（Ｓ１１０）において、使用者は、選択ユニットＳＵによって１人またはそれ以上の名宛人を受取人リストから選択することができる。名宛人が一つ以上の受取人ＩＤを有している場合、使用者はさらに受取人ＩＤを選択する。メッセージを送信しなければならない名宛人がリストに挙げられていない場合、使用者は、番号をタイプ入力する、または受取人データベース、例えば電話帳にアクセスし、名宛人、および受取人ＩＤを選択し、受取人リストを消去する。最後のステップ（Ｓ１１２）において、メッセージ送信ユニットＭＳＵは、選択した受取人ＩＤにメッセージを送信する。
【００２８】
代案として、受取人リストは、受取人ＩＤ、例えば電話番号のタイプ入力、または受取人データベースＲＤＢ、例えば電話帳を参照する、選択肢のうち少なくとも一つを備えることができる。さらに、使用者が受取人ＩＤ、例えば電話番号をタイプ入力するとき、リスト作成ユニットＬＵは、受取人ＩＤのすでに書き込んである部分を含む、受取人データベースＲＤＢに蓄積されている全ての受取人ＩＤ、例えば電話番号、を提示することができる。代案として、分析ステップ（Ｓ１０６）を作成ステップ（Ｓ１０４）と同時に行うようにすることもできる。
【００２９】
図４は、本発明における第１実施例による携帯デバイスの動作に関するフローチャートを示す。ステップＳ４０において、メッセージＭＳＧを作成する。メッセージは、ＳＭＳまたはＭＭＳ等とすることができる。そのメッセージの属性を抽出し、メッセージをトークンＴ１〜Ｔｎに分割または抽出する（ステップＳ４１）。トークンＴ１〜Ｔｎは、受取人データベースＲＤＢに蓄積された名宛人Ａｄｄｒ１〜Ａｄｄｒｎと照合する（ステップＳ４２）。ここで、トークンＴ１が名宛人Ａｄｄｒ３と一致する。これにより、メッセージＭＳＧを名宛人Ａｄｄｒ３に送信する（ステップＳ４３）。
【００３０】
図５は、本発明による携帯デバイスの動作に関するフローチャートを示す。このフローはステップＳ５０で始まる。ステップＳ５１において、メッセージＭＳＧを、語句Ｗ１〜Ｗｎで作成する。そのメッセージＭＳＧをトークン化し、抽出を実行する（ステップＳ５２）。ステップＳ５３において、ステップＳ５２からのトークンが、受取人データベースＲＤＢにおける情報、入力事項、またはデータセットのいずれか（識別情報ＩＤまたは名宛人情報）に対応しているか否か、決定する。トークンのうち１個が受取人データベースＲＤＢにおけるデータセットと一致する場合、そのデータセットに基づいてメッセージＭＳＧを受取人に送信する（ステップＳ５４）。その後、分析ユニットＡＵを更新する。すなわち、分析ユニットＡＵは、トークンと受取人データベースＲＤＢにおけるデータセットのうち一つとが一致したので、このメッセージをその受取人に送信するという情報を蓄積する。フローはステップＳ５７で終わる。
【００３１】
ステップＳ５３において、受取人データベースＲＤＢにおけるデータセットと一致するトークンが一つも存在しない場合、メッセージＭＳＧを、最後の受取人または最も頻繁に用いられる受取人に送信する。その後、フローはステップＳ５６へと続き、分析ユニットＡＵを更新する。
【００３２】
図６は、本発明における第２実施例によるデータ処理方法に関するフローチャートを示す。第２実施例によれば、分析データベースＡ−ＤＢは、さらに内容間の関係性、例えば、「Dear Mrs.」と「Yours faithfully」との間、または「Thomas」と添付「Tom.jpg」、との間の関係性を蓄積する。ここで、分析ステップ（Ｓ１０６）、リスト作成ステップ（Ｓ１０８）、選択ステップ（Ｓ１１０）は、共に作成ステップ（Ｓ１０４）と同時に実行することができる。リスト作成ステップ（Ｓ１０８）において、リスト作成ユニットＬＵは、１人またはそれ以上の名宛人ならびに１個またはそれ以上のテキストモジュールまたは同封物を備えるリストを、例えば名前または接尾語により、分析パラメータと名宛人との関係、および内容間の関係に基づいて提供し、これら関係を分析データベースＡ−ＤＢに蓄積する。例えば、抽出ユニットＥＵが「Dear Thomas」を識別する。すると、分析データベースＡ−ＤＢに蓄積された関係に基づき、リスト作成ユニットＬＵが「tom.jpgの挿入」および「Thomasへ送信」を提案する。ここで、選択ステップ（Ｓ１１０）において、使用者が、挿入すべき内容または名宛人を選択する、またはメッセージのタイプ入力を続行するのいずれかを行うことで、リストを消去する。
【００３３】
図７は、本発明における第３実施例による携帯機器に関するブロック図を示す。第３実施例によれば、受取人データベースＲＤＢは外部ユニットとして実施され、インタフェースにより携帯デバイスＭＤと接続する。第３実施例による携帯デバイスＭＤのメッセージ作成ユニットＭＣＵ、分析ユニットＡＵ、メッセージ送信ユニットＭＳＵ、ディスプレイユニットＤＵは、第１実施例による携帯デバイスＭＤのメッセージ作成ユニットＭＣＵ、分析ユニットＡＵ、メッセージ送信ユニットＭＳＵ、ディスプレイユニットＤＵに対応する。
【００３４】
外部受取人データベースを設けることにより、同一受取人データベースを複数の携帯デバイスで用いることが可能となる。この実施例においては、抽出ユニットＥＵにおける結果を、リスト作成ユニットＬＵに転送し、このリスト作成ユニットＬＵは、インタフェースを介して受取人データベースＲＤＢに接続し、分析データベースＡ−ＤＢに蓄積した分析パラメータと名宛人との関係に基づいて、最も可能性の高い名宛人のリストを提供する。このリストを携帯デバイスＭＤのディスプレイユニットＤＵによって表示する。
【００３５】
さらに、リスト作成ユニットは外部ユニットとして作動することができる。さらに、そのインタフェースは無線インタフェースとすることができる。
【００３６】
上記実施例は本発明を制限するよりはむしろ実例を示すものであり、当業者は添付した特許請求の範囲の範囲内において、多くの別の実施例を考案することが可能である、という点に留意する必要がある。特許請求の範囲において、括弧内のいかなる引用符号も、請求項を制限するものとして解釈されない。「備える」という語は、請求項に記載されている以外の要素またはステップの存在を除外しない。要素に先行する単数表記は、この種の要素における複数性の存在を除外しない。いくつかの方法を列挙している装置請求項において、これらの方法のいくつかを、ハードウェアの全く同一の部材を用いて実施することができる。ある手段を、相互に異なる従属特許請求の範囲において詳述しているというこの事実は、これらの手段の組合せを有効に利用することはできない、ということは示唆していない。
【００３７】
さらに、特許請求の範囲におけるいかなる引用符号も、特許請求の範囲における範囲を制限するものとして解釈すべきものではない。
【図面の簡単な説明】
【００３８】
【図１】本発明における第１および第２実施例による携帯デバイスに関するブロック図を示す。
【図２】図１による携帯デバイスの動作の説明図を示す。
【図３】本発明における第１実施例による携帯デバイスの動作のフローチャートを示す。
【図４】図１による携帯デバイスの動作を示す他の説明図である。
【図５】本発明による携帯デバイスの動作のフローチャートを示す。
【図６】本発明における第２実施例による携帯デバイスの動作のフローチャートを示す。
【図７】本発明における第３実施例による携帯デバイスのブロック図を示す。
【図１】
2009521182.tif 000003
【図２】
2009521182.tif 000004
【図３】
2009521182.tif 000005
【図４】
2009521182.tif 000006
【図５】
2009521182.tif 000007
【図６】
2009521182.tif 000008
【図７】
2009521182.tif 000009
【国際調査報告】
2009521182.tif 000010
2009521182.tif 000011